(57)【要約】本発明は、水と空気とを使用者に常時送達するためのホース装置の使用を可能にし、使用者がタンクから供給される呼吸可能ガスに頼る必要をなくす、システムを提供する。本発明は、呼吸可能ガスおよび水の両方がホース装置を通して同時に送達されるように、水ホースのジャケットの内側での呼吸可能ガスホースの使用を含む。呼吸可能ガスホースは、水ホースを取り囲むジャケット内に保護される。本システムは、使用者の呼吸装置への給気源の容易な接続および切り離しを可能にし、消防士が一般に使用する標準的な自給式呼吸器（ＳＣＢＡ）との併用が可能である。ただし、本システムは、使用者が呼吸可能ガスおよび水ホース装置とＳＣＢＡシステムとの間を手動で切り換える必要がないように、ＳＣＢＡシステムをオーバライドする。【選択図】図１
2021512769.tif 000002
【特許請求の範囲】
【請求項１】
ホース装置（１０１）であって、
（ａ）入口端１１と、
（ｂ）出口端１２と、
（ｃ）前記入口端１１に取り付けられた、第１の通路２３と第２の通路２２とを有する第１のホース端コネクタ４と、
（ｄ）前記出口端１２に取り付けられた、第３の通路２５と第４の通路２４とを有する第２のホース端コネクタ５と、
（ｅ）前記入口端で前記第１の通路２３に、前記出口端で前記第３の通路２５に、水密接続で接続された、前記第１の通路２３と前記第３の通路２５との間の可撓性水ホース１と、
（ｆ）前記第２の通路２２と前記第４の通路２４とに気密接続で接続された、第２の通路２２と前記第４の通路２４との間の可撓性ガスホース３であって、前記可撓性水ホース１に隣接するが前記可撓性水ホース１の外側にある、可撓性ガスホース３と、
（ｇ）前記可撓性水ホース１および前記可撓性ガスホース３の両方をまとめて取り囲む耐候材製アウタジャケット２と、
を備えた装置。
【請求項２】
（ａ）前記第１の通路２３と前記可撓性水ホース１と前記第３の通路２５とを介して水源１７を接続するための、前記第１のホース端コネクタ４上の第１の接続部１３と、
（ｂ）前記第２の通路２２と前記可撓性ガスホース３と前記第４の通路２４とを介して呼吸可能ガス源１８を接続するための、前記第１のホース端コネクタ４上の第２の接続部１４と、
（ｃ）前記呼吸可能ガスホース３を使用者の呼吸装置１５２の一部としての圧力調節器１９に接続するための、前記第２のホース端コネクタ５上の第３の接続部１５と、
（ｄ）前記第３の通路２５に接続された水排出用ノズルアダプタを接続する前記第２のホース端コネクタ５上の第４の接続部１６と、
を更に備える、請求項１に記載の装置。
【請求項３】
前記第２の接続部１４は、前記呼吸可能ガス源１８から切り離されているときは前記入口端１１を封止するための、および前記呼吸可能ガス源１８に接続されているときは呼吸可能ガスを提供するための、弁を有する、請求項１または２に記載の装置。
【請求項４】
前記ガスホース３は、前記呼吸可能ガスの少なくとも２００ｐｓｉｇの内圧に耐えることができる、請求項１〜３の何れか一項に記載の装置。
【請求項５】
消火を可能にする長さを有し、少なくとも１本の標準的な水ホースへの接続部を有する、請求項１〜４の何れか一項に記載の装置。
【請求項６】
前記呼吸可能ガスは、少なくとも１１０ｐｓｉの圧力で供給される、請求項１〜５の何れか一項に記載の装置。
【請求項７】
前記ホースは、形状記憶を有さない材料で構成される、請求項１〜６の何れか一項に記載の装置。
【請求項８】
水と空気とを使用者に常時送達するためのホース装置の使用を可能にするシステムであって、前記システムはホース装置を備え、前記ホース装置は、
（ａ）入口端１１と、
（ｂ）出口端１２と、
（ｃ）前記入口端１１に取り付けられた、第１の通路２３と第２の通路２２とを有する第１のホース端コネクタ４と、
（ｄ）前記出口端１２に取り付けられた、第３の通路２５と第４の通路２４とを有する第２のホース端コネクタ５と、
（ｅ）前記入口端１１で前記第１の通路２３に、前記出口端１２で前記第３の通路２５に、水密接続で接続された、前記第１の通路２３と前記第３の通路２５との間の可撓性水ホース１と、
（ｆ）前記第２の通路２２と前記第４の通路２４とに気密接続で接続された、前記第２の通路２２と前記第４の通路２４との間の可撓性ガスホース３であって、前記可撓性水ホース１に隣接するが前記可撓性水ホース１の外側にある、可撓性ガスホース３と、
（ｇ）前記可撓性水ホース１および前記可撓性ガスホース３の両方をまとめて取り囲む耐候材製アウタジャケット２と、
を有する、システム。
【請求項９】
前記使用者が背負った空気タンク４２を前記装置１０１と併用することを更に含み、前記装置１０１は少なくとも１１０ｐｓｉの圧力でガスを提供し、前記空気タンク４２は、圧力調節器５０と、前記装置１０１からの空気圧が１１０ｐｓｉ未満になると開く弁５１とを含む、請求項８に記載のシステム。
【請求項１０】
１つのホース装置１０１を有する、請求項８または９に記載のシステム。
【請求項１１】
前記ホース装置１０１は、少なくとも１本の標準的な水ホース１０３に接続されるように構成される、請求項１０に記載のシステム。
【請求項１２】
消火方法であって、
（ａ）入口端１１と出口端１２とを有するホース装置１０１を設けるステップを含み、前記ホース装置１０１は、
ｉ．前記入口端１１に取り付けられた、第１の通路２３と第２の通路２２とを有する第１のホース端コネクタ４と、
ｉｉ．前記出口端１２に取り付けられた、第３の通路２５と第４の通路２４とを有する第２のホース端コネクタ５と、
ｉｉｉ．前記第１の通路２３に前記入口端１１で、および前記第３の通路２５に前記出口端１２で、水密接続で接続された、前記第１の通路２３と前記第３の通路２５との間の可撓性水ホース１と、
ｉｖ．前記第２の通路２２および前記第４の通路２４に気密接続で接続された、前記第２の通路２２と前記第４の通路２４との間の可撓性ガスホース３であって、前記可撓性水ホース１に隣接するが前記可撓性水ホース１の外側にある、可撓性ガスホース３と、
ｖ．前記可撓性水ホース１および前記可撓性ガスホース３の両方を取り囲む耐候材製アウタジャケット２と、
ｖｉ．前記第１の通路２３と前記可撓性水ホース１と前記第３の通路２５とを介して水源１７を接続するための前記第１のホース端コネクタ４上の第１の接続部１３と、
ｖｉｉ．前記第２の通路２２と前記可撓性ガスホース３と前記第４の通路２４とを介して呼吸可能ガス源１８を接続するための前記第１のホース端コネクタ４上の第２の接続部１４であって、前記呼吸可能ガス源１８から切り離されているときは前記入口端１１を封止するための、および前記呼吸可能ガス源１８に接続されているときは呼吸可能ガスを提供するための、弁を有する第２の接続部１４と、
ｖｉｉｉ．使用者の呼吸装置の一部としての圧力調節器５０に前記呼吸可能ガス源１８を接続するための前記第２のホース端コネクタ５上の第３の接続部１５であって、前記ガスホース３は、前記水ホース１内の水の外圧につぶれずに耐えることができ、および前記呼吸可能ガスの少なくとも２００ｐｓｉｇの内圧に耐えることができる、第３の接続部１５と、
ｉｘ．前記第３の通路２５に接続された水排出用ノズル４０を接続する前記第２のホース端コネクタ５上の第４の接続部１６と、
を更に備える、方法。
【請求項１３】
前記呼吸可能ガスの圧力は７５〜５０００ｐｓｉｇの間である、請求項１２に記載の方法。
【請求項１４】
前記ホース装置１０１の前記入口端１１は標準的な水ホース１０３の一端に接続され、前記標準的な水ホース１０３の他端は前記水源１７に接続される、請求項１２または１３に記載の方法。
【発明の詳細な説明】
【技術分野】
【０００１】
本発明は、水を排出しているときに給気を必要としている個人、例えば火災における消防士、に呼吸可能ガスと水とを供給するためのシステムに使用される呼吸可能ガスおよび水ホース装置と、この呼吸可能ガスおよび水ホース装置の使用方法とに関する。特に、本発明は、水ホースおよび呼吸可能ガスホースの両方を含むホース装置であって、不断の空気源を使用者に提供するために、呼吸可能ガスホースは使用者の呼吸装置に接続される、ホース装置に関する。
【背景技術】
【０００２】
消防士が消火中にこのような危険に直面する主な理由の１つは、空気が欠乏するからである。一般に、空気は、消防士が背負っているタンクから消防士に供給される。これらタンクの給気量は限られており、空気の欠乏なしに消防士が長時間消火活動を行うことを制限する。炎上している構造物内に閉じ込められた、または迷った、消防士は、通常、彼らの空気が尽きたときに死亡する。
【０００３】
特許文献１は、水ホースと空気ホースとを組み合わせることによってこの問題を解決しようとしており、１本の水ホース内に配置された２本の空気ホースを開示している。この特許は、更に、消防士のマスクへの給気源の容易な接続および切り離しを可能にするシステムを開示している。このシステムは、消防士が使用する、マスクと調節器とを含む標準的な自給式呼吸器（ＳＣＢＡ）と併用可能である。ただし、このシステムは、このホースを一般に使用されている空気タンクと併用するための機構を開示していない。使用者がホースからタンクに切り換える必要がある場合、彼または彼女は、ホースの切り離しとＳＣＢＡシステムの再接続とを手動で行わなければならないであろう。
【０００４】
待望されているのは、遠くの給気源から使用者に呼吸可能ガスを供給するための呼吸可能ガスホースを水ホースと共に有し、水ホース内の水の流れを妨げずに使用者への高圧空気の送達を可能にし、空気の流れが水の流れによって左右されない、システムである。
【先行技術文献】
【特許文献】
【０００５】
【特許文献１】米国特許第６，５２０，１７８号
【発明の概要】
【課題を解決するための手段】
【０００６】
本発明は、水と空気とを使用者に常時送達するためのホース装置の使用を可能にするシステムを提供する。本システムは、使用者が本発明を使用している間は、使用者が従来のタンクから供給される限られた量の呼吸可能ガスに頼る必要をなくす。本システムは、使用者が背負う空気タンクの小型化も可能にし得る。これは、使用者が背負う重量の低減に等しい。本発明は、呼吸可能ガスおよび水の両方がホース装置を通って同時に送達されるように、水ホースのジャケットの内側に呼吸可能ガスホースを使用することを含む。呼吸可能ガスホース装置は、システムの水ホース全体の単一区間のみを含む。これにより保証されるのは、呼吸可能ガスホースのどの部分も水ホースの外側に延在せず、起こり得る損傷にさらされないことである。呼吸可能ガスホースは水ホースに通されず、水ホースを取り囲んでいるアウタジャケットの内側で完全に保護される。本システムは一次給気システムとして使用可能であり、使用者が背負っている空気タンクの使用を緊急用に限定できる。本システムは、消防士が背負っているタンクから供給されるのと同様の高圧呼吸可能ガスを供給する。本システムは、使用者の呼吸装置への給気源の容易な接続および切り離しを可能にし、消防士が一般に使用している、マスクと調節器とを含む、標準的な自給式呼吸器（ＳＣＢＡ）との併用が可能である。
【０００７】
また、本システムは、呼吸可能ガスおよび水ホース装置とＳＣＢＡシステムとの間の切り換えを使用者が手動で行う必要がないように、標準的なＳＣＢＡシステムをオーバライドする能力を有する。本システムと併用される一般的なＳＣＢＡタンクは、２つの調節器を有する。これら調節器の一方は、１００〜１１０ｐｓｉで空気を排出する。別のより高圧の空気源が存在する場合、この調節器に接続された弁は、この高圧空気を一次源にすることができる。この場合、本システムは、１１０ｐｓｉより高圧で空気を排出するように構成される。本システムが故障するか、空気が尽きた場合は、ＳＣＢＡタンクからの空気を一次空気源として排出させるために、この弁は自動的に開く。
【０００８】
本発明は、入口端と、出口端と、第１の通路と第２の通路とを有する、入口端に取り付けられた第１のホース端コネクタと、第３の通路と第４の通路とを有する、出口端に取り付けられた第２のホース端コネクタと、入口端で第１の通路に、出口端で第３の通路に、水密接続で接続された、第１の通路と第３の通路との間の可撓性水ホースと、第２の通路と第４の通路との間に気密接続で接続された、第２の通路と第４の通路との間の可撓性ガスホースであって、可撓性水ホースに隣接するが可撓性水ホースの外側にある可撓性ガスホースと、可撓性水ホースおよび可撓性ガスホースの両方を取り囲む耐候材製アウタジャケットと、を有するホース装置に関する。
【０００９】
更に、本発明が開示するホース装置は、第１の通路と可撓性水ホースと第３の通路とを介して水源を接続するための、第１のホース端コネクタ上の第１の接続部と、第２の通路と可撓性ガスホースと第４の通路とを介して呼吸可能ガス源を接続するための、第１のホース端コネクタ上の第２の接続部であって、呼吸可能ガス源から切り離されているときは入口端を封止するための、および呼吸可能ガス源に接続されているときは呼吸可能ガスを提供するための、弁を有する第２の接続部と、使用者の呼吸装置の一部としての圧力調節器に呼吸可能ガスを接続するための、第２のホース端コネクタ上の第３の接続部と、第３の通路に接続された水排出用ノズルを接続する、第２のホース端コネクタ上の第４の接続部と、を更に備える。
【００１０】
更に、本発明は、水と空気とを使用者に常時送達するためのホース装置の使用を可能にするシステムに関する。本システムは、ホースを備える。このホースは、入口端と、出口端と、第１の通路と第２の通路とを有する、入口端に取り付けられた第１のホース端コネクタと、第３の通路と第４の通路とを有する、出口端に取り付けられた第２のホース端コネクタと、入口端で第１の通路に、出口端で第３の通路に、水密接続で接続された、第１の通路と第３の通路との間の可撓性水ホースと、第２の通路と第４の通路とに気密接続で接続された、第２の通路と第４の通路との間の可撓性ガスホースであって、可撓性水ホースに隣接するが可撓性水ホースの外側にある、可撓性ガスホースと、可撓性水ホースおよび可撓性ガスホースの両方を取り囲む耐候材製アウタジャケットと、第１の通路と可撓性水ホースと第３の通路とを介して水源を接続するための第１のホース端コネクタ上の第１の接続部と、第２の通路と可撓性ガスホースと第４の通路とを介して呼吸可能ガス源を接続するための、第１のホース端コネクタ上の第２の接続部であって、呼吸可能ガス源から切り離されているときは入口端を封止するための、および呼吸可能ガス源に接続されているときは呼吸可能ガスを提供するための、弁を有する第２の接続部と、使用者の呼吸装置の一部としての圧力調節器に呼吸可能ガスを接続するための第２のホース端コネクタ上の第３の接続部と、第３の通路に接続された水排出用ノズルを接続する第２のホース端コネクタ上の第４の接続部とを有する。
【００１１】
本発明は、更に、ホース装置が少なくとも１１０ｐｓｉの圧力でガスを提供するように、使用者が背負った空気タンクとホース装置との併用を含むシステムに関する。これら空気タンクは、圧力調節器と、装置からの空気圧が１１０ｐｓｉ未満になると開く弁とを含む。
【００１２】
更に、本発明は、消火方法、または別様に水源を一点に供給する方法、に関する。本方法は、ホース装置を設けるステップであって、ホース装置は、入口端と、出口端と、第１の通路と第２の通路とを有する、入口端に取り付けられた第１のホース端コネクタと、第３の通路と第４の通路とを有する、出口端に取り付けられた第２のホース端コネクタと、入口端で第１の通路に、出口端で第３の通路に、水密接続で接続された、第１の通路と第３の通路との間の可撓性水ホースと、第２の通路と第４の通路とに気密接続で接続された、第２の通路と第４の通路との間の可撓性ガスホースであって、可撓性水ホースに隣接するが可撓性水ホースの外側にある可撓性ガスホースと、可撓性水ホースおよび可撓性ガスホースの両方を取り囲む耐候材製アウタジャケットと、第１の通路と可撓性水ホースと第３の通路とを介して水源を接続するための、第１のホース端コネクタ上の第１の接続部と、第２の通路と可撓性ガスホースと第４の通路とを介して呼吸可能ガス源を接続するための、第１のホース端コネクタ上の第２の接続部であって、呼吸可能ガス源から切り離されているときは入口端を封止するための、および呼吸可能ガス源に接続されているときは呼吸可能ガスを供給するための、弁を有する第２の接続部と、使用者の呼吸装置の一部としての圧力調節器に呼吸可能ガスを接続するための、第２のホース端コネクタ上の第３の接続部と、第３の通路に接続された水排出用ノズルを接続する第２のホース端コネクタ上の第４の接続部とを有する、ステップと、ホース装置の入口端を水源および呼吸可能ガス源に接続するステップと、可撓性ガスホースを使用して本装置を呼吸装置上の圧力調節器に接続し、使用者が消火している、または別様に水源を一点に供給している、時間の少なくとも一部において、可撓性ガスホースを使用して、ホース装置から呼吸装置上の圧力調節器を介して呼吸可能ガスを使用者に提供するステップと、を含む。
【００１３】
本発明の要旨および利点は、以下の図面および説明を参照することによって、一層明らかになるであろう。
【００１４】
以下の詳細な説明を参照し、添付の図面に関連付けて考察されて本開示をより深く理解されるに伴い、本開示のシステムおよび方法の他の利点を容易に理解されるであろう。
【図面の簡単な説明】
【００１５】
【図１】消防車１１６、呼吸可能ガスおよび水ホース装置１０１、および使用者１５０を示すシステム１００の斜視図である。
【図２】アウタジャケット２の内側の水ホース１および呼吸可能ガスホース３を示す、呼吸可能ガスおよび水ホース装置１０１の断面図である。
【図３Ａ】ノズルアダプタ８の上面図を示す。
【図３Ｂ】ノズルアダプタ８の平面図を示す。
【図３Ｃ】ノズルアダプタ８の側面図および部分断面図を示す。
【図４Ａ】入口側ホース端コネクタ４の上面図を示す。
【図４Ｂ】入口側ホース端コネクタ４の平面図を示す。
【図４Ｃ】入口側ホース端コネクタ４の側面図および部分断面図を示す。
【図５Ａ】出口側ホース端コネクタ５の上面図である。
【図５Ｂ】出口側ホース端コネクタ５の平面図を示す。
【図５Ｃ】出口側ホース端コネクタ５の側面図および部分断面図を示す。
【図５Ｄ】出口側ホース端コネクタ５の図５ＡのＡ−Ａ断面を示す。
【図６】呼吸可能ガスおよび水ホース装置１０１の分解図を示す。
【図７】呼吸可能ガスおよび水ホース装置１０１を操作している使用者１５０の図を示す。
【図８】呼吸可能ガスおよび水ホース装置１０１を操作している使用者１５０のワイヤフレーム図を示す。
【図９】呼吸可能ガスおよび水ホース装置１０１と併用可能な空気タンク４２の図を示す。
【発明を実施するための形態】
【００１６】
これらの図を参照すると、いくつかの図にわたって同様の数字が対応する部品を示している。
【００１７】
図１は、空気または他の呼吸可能ガスを使用者１５０に提供するために給気システム１００において使用中の本発明の呼吸可能ガスおよび水ホース装置１０１を示す。給気システム１００は、一端で給気源１０２に接続され、他端で自給式呼吸器（ＳＣＢＡ）１５２に接続される呼吸可能ガスおよび水ホース装置１０１を含む。
【００１８】
図２は、入口側ホース端コネクタ４および出口側ホース端コネクタ５に取り付けられた入口端１１および出口端１２を有する呼吸可能ガスおよび水ホース装置１０１を示す。入口側ホース端コネクタ４は、第１の通路２３と第２の通路２２とを有する。図５Ａ〜５Ｄは、第３の通路２５と第４の通路２４とを有する出口側ホース端コネクタ５を示す。可撓性水ホース１が第１の通路２３および第３の通路２５に水密接続で接続される。水ホース１は、標準的な消火用水ホースと同様であることが好ましく、耐久性および可撓性を有する材料のいくつかの層で構成されることが好ましい。可撓性ガスホース３が第２の通路２２および第４の通路２４に気密接続で接続される。可撓性ガスホース３は、可撓性水ホース１に隣接するが可撓性水ホース１の外側にある。アウタジャケット２が可撓性水ホース１および可撓性ガスホース３の両方を取り囲む。可撓性ガスホース３は、水ホース１を通る水流によって引き起こされる外側の高い流体圧力とガスホース３内を通過する空気によって引き起こされる内側の高い流体圧力とに耐えられる何れか周知の材料で構成され得る。一実施形態において、ガスホース３は人間用に認可された補強ゴム管で構成される。最大５０００ｐｓｉｇの呼吸可能ガスを通すことができるガスホース３の能力は、使用者の空気タンクを充填する手段としてのガスホース３の使用を可能にする。また、ガスホース３は、形状記憶を有さない材料で構成されることが好ましい。ガスホース３は保管のために繰り返し折り曲げられるので、ガスホース３の損傷を防止するために、ガスホース３は、１８０°曲げても依然としてその元の形状に勢いよく戻ることができる、十分な柔軟性を有する必要がある。ガスホース３は、更に、スキューバダイビング用に認可および使用される空気ホースなど、空気を汚染しない材料で構成される必要がある。
【００１９】
図８は、第１の通路２３と可撓性水ホース１と第３の通路２５とを介して水源１７を接続するための入口側ホース端コネクタ４上の第１の接続部１３を示す。第１のホース端コネクタ４上の第２の接続部１４は、第２の通路２２と可撓性ガスホース３と第４の通路２４とを介して、呼吸可能ガス源１８を接続する。第２のホース端コネクタ５上の第３の接続部１５は、呼吸可能ガスホース３を使用者の呼吸装置１５２の一部としての圧力調節器１９に接続する。第２のホース端コネクタ上の第４の接続部１６は、第３の通路に接続された水排出用ノズルアダプタ８を接続する。
【００２０】
図４に示されているように、入口側ホース端コネクタの第１の通路２３は、第２の通路２２より大きい。第１の通路２３は、水源を可撓性水ホース１に接続する。第１の通路２３の上方に位置する、第１の通路２３から分離した第２の通路２２は、呼吸可能ガス源を可撓性ガスホース３に接続する。
【００２１】
第３の通路２５は、第４の通路２４より大きい。第３の通路２５は、可撓性水ホース１をノズルアダプタ８に密嵌固定式に接続する。第３の通路２５の上方に位置する、第３の通路２５から分離した第４の通路２４は、可撓性ガスホース３を呼吸装置の一部としての圧力調節器１０５に同じく密嵌固定式に接続する。
【００２２】
ノズルアダプタ８は、出口側ホース端コネクタ５に取り付けられる。入口側ホース端コネクタ４は水源に接続可能である、または標準的な消火用、または他の目的のための、水ホースに接続可能である。
【００２３】
図７は、使用者１５０用の呼吸装置１５２を示す。呼吸装置１５２は、好ましくは、第１の呼吸ホース４４と、調節器（図示せず）と、呼吸マスク４１と、使用者が背負う少なくとも１つの空気タンク４２とを含む。好適な実施形態において、呼吸ホース４４は、空気タンク４２と調節器との間に延在し、タンク４２からの空気を使用者１５０に提供する。一実施形態において、調節器は呼吸装置１５２に直接取り付けられる。調節器は、高圧の圧縮ガスを給気源として使用可能にする。
【００２４】
呼吸可能ガスおよび水ホース装置１０１は、消火中の、または別様に水源を一点に送達している、使用者１５０のための一次呼吸システムまたは呼吸可能ガス源において使用され得る。呼吸可能ガスおよび水装置１０１は、使用者１５０が使用する水ホース１の最終区間として使用される。呼吸可能ガスおよび水ホース装置１０１の使用を水ホース１の単一区間に限定することによって、いくつかの空気および水ホース装置１０１からの呼吸可能ガスホース４４を一緒に接続する必要がなくなる。これにより、ガス漏れの危険性が減り、ガス漏れを引き起こし得るガスホース３の損傷の可能性も減る。高圧の圧縮ガスシステムにおけるガス漏れは、漏れたガスが炎を煽ることもあり得るので、場合によっては危険であり得る。最終ホースが呼吸可能ガスおよび水ホース装置１０１であれば、必要な長さまで任意の数の標準的な水ホースを使用できる。好適な実施形態において、呼吸可能ガスおよび水ホース装置１０１の長さは、５０フィートと１５０フィート（１２７ｃｍと２５４ｃｍ）の間である。ただし、呼吸可能ガスおよび水ホース装置１０１を任意の長さにできることを理解されたい。
【００２５】
呼吸可能ガスおよび水ホース装置１０１を給気システム１００において使用するために、ガスおよび水装置１０１の第１の通路２３は、標準的な水ホース１０３の最終区間の出口側アダプタに取り付けられる。標準的な水ホース１０３の入口端は、水源に接続される。あるいは、呼吸可能ガスおよび水ホース装置のみが使用される場合、呼吸可能ガスおよび水ホース装置１０１の入口側ホース端コネクタ４の第１の通路２３は、水源に直接接続される。
【００２６】
給気システム１００は、呼吸可能ガスおよび水ホース装置１０１の入口側ホース端コネクタ４に隣接して位置付けられることが好ましい。この場合、給気用の給気管は、入口側ホース端コネクタ４上のプラグに接続される。好適な実施形態において、給気源１０２は、調節器１０５を使用して、または使用せずに、少なくとも２００ｐｓｉｇの圧力で呼吸可能ガスを提供する。ただし、入口側ホース端コネクタ４において第２の通路２２に入る呼吸可能ガスの圧力は、呼吸可能ガスおよび水ホース装置１０１の他端で十分な呼吸可能ガスを使用者１５０に提供するために十分に高い必要があることを理解されたい。必要とされる圧力の高さは、呼吸可能ガスおよび水ホース装置１０１の長さ、および呼吸可能ガスホース３の内径、および呼吸可能ガスおよび水ホース装置１０１を使用する人数に応じて決まることになる。
【００２７】
ホース装置１０１が少なくとも１１０ｐｓｉの圧力でガスを提供するように、使用者１５０が背負う空気タンク４２はホース装置１０１と併用され得る。これら空気タンク４２は、圧力調節器５０と、装置１０１からの空気圧が１１０ｐｓｉ未満になると開く弁５１とを含む。
【００２８】
呼吸可能ガスおよび水ホース装置１０１の呼吸可能ガスホース３を通して他の呼吸可能ガスも提供できることを理解されたい。呼吸可能ガスおよび水ホース装置１０１の水ホース１を通して他の流体も提供できることも理解されたい。他の流体として、他の消火用流体または難燃性材料、あるいは消火とは無関係の用途に使用される他の流体が挙げられるが、これだけに限定されるものではない。
【００２９】
残っているプラグがあれば、二次ホースおよび呼吸装置（図示せず）を接続することもできる。この場合、二次ホースおよび呼吸装置は、火災に閉じ込められた民間人に呼吸可能ガスを提供するために使用され得る。
【００３０】
図７を参照すると、使用者１５０が呼吸可能ガスおよび水ホース装置１０１に接続されてノズル４０を保持すると、給水がオンになる。水ホース１を流れる水の圧力は、約１０００ｐｓｉｇと２８５０ｐｓｉｇの間であることが好ましい。この水圧は、標準的な水ホースで使用される水圧と同様であることが好ましい。給気源１０２が利用可能である限りは使用者１５０が呼吸可能ガスおよび水ホース装置１０１からの空気または他の呼吸可能ガスを吸い込むように、システム１００が構成されることが好ましい。したがって、一次給気源１０２が停止した場合にのみ、使用者１５０は彼が背負っている彼の呼吸装置１５２のタンク４２内の呼吸可能ガスを使用することになる。
【００３１】
上記説明は本発明の単なる例示であり、本発明は添付の特許請求の範囲によってのみ限定されるものとする。
【００３２】
明らかに、上記教示に鑑みて本発明の多くの変更および変形が可能であり、添付の特許請求の範囲内であれば、具体的に記載されている以外でも実施され得る。
【図１】
2021512769.tif 000003
【図２】
2021512769.tif 000004
【図３Ａ】
2021512769.tif 000005
【図３Ｂ】
2021512769.tif 000006
【図３Ｃ】
2021512769.tif 000007
【図４Ａ】
2021512769.tif 000008
【図４Ｂ】
2021512769.tif 000009
【図４Ｃ】
2021512769.tif 000010
【図５Ａ】
2021512769.tif 000011
【図５Ｂ】
2021512769.tif 000012
【図５Ｃ】
2021512769.tif 000013
【図５Ｄ】
2021512769.tif 000014
【図６】
2021512769.tif 000015
【図７】
2021512769.tif 000016
【図８】
2021512769.tif 000017
【図９】
2021512769.tif 000018
【手続補正書】
【提出日】令和2年10月6日(2020.10.6)
【手続補正１】
【補正対象書類名】図面
【補正対象項目名】図１
【補正方法】変更
【補正の内容】
【図１】
2021512769.tif 000019
【手続補正２】
【補正対象書類名】図面
【補正対象項目名】図７
【補正方法】変更
【補正の内容】
【図７】
2021512769.tif 000020
【手続補正３】
【補正対象書類名】図面
【補正対象項目名】図８
【補正方法】変更
【補正の内容】
【図８】
2021512769.tif 000021
【国際調査報告】
2021512769.tif 000022
2021512769.tif 000023
2021512769.tif 000024